(57)【要約】      （修正有）【課題】ＧＰＳ感度を確保することができるＧＰＳ装置を内蔵した撮像装置を提供する。【解決手段】ＧＰＳ受信部、画像表示部、及び撮像装置の状態変化検知部を備え、ＧＰＳ測位状態では画像表示部にＧＰＳ受信範囲を塞がないよう警告表示するとともに、受信したＧＰＳ測位感度レベル及び検知部の検知結果より判別した受信状態に応じて異なる警告を表示し、受信範囲を明示することにより、撮影者がＧＰＳを測位しやすい状態にもっていく手助けをする。【選択図】図４
2012114874.tif 000002
【特許請求の範囲】
【請求項１】
GPS受信部、及び画像表示部を備え、GPS測位状態では画像表示部に受信範囲を塞がないことを警告する警告表示を表示することを特徴とする撮像装置。
【請求項２】
GPS受信部、画像表示部、及び撮像装置の状態変化を検知できる検知部をもち、前記GPS受信部により受信したGPS測位感度レベル及び検知部の検知結果より判別し、判別した結果により異なる警告表示を表示することを特徴とする撮像装置。
【請求項３】
前記状態変化を検知できる検知部が撮像装置の移動距離を検知することを特徴とする請求項２に記載の撮像装置。
【請求項４】
前記状態変化を検知できる検知部が撮像装置の回転を検知することを特徴とする請求項２に記載の撮像装置。
【請求項５】
前記ＧＰＳ受信部の受信範囲を本体部に明示しておくことを特徴とする、請求項１乃至請求項４の何れか１項に記載の撮像装置。
【発明の詳細な説明】
【技術分野】
【０００１】
本発明は撮像装置上にGPS装置を内蔵した撮像装置のGPS感度を確保する為の表示に関するものである。
【背景技術】
【０００２】
近年、撮像装置にGPS（Global Positioning System ）受信部を接続して、受信した測位情報をその撮像装置に送り、その情報から撮影者及び被写体の位置情報を記録媒体に記録して、利用できる技術がある。
【０００３】
上記撮像装置において、GPS受信部は、受信性能を確保する為に、天空に向ける必要がある。また，電波を遮蔽しやすいものに，受信部を遮られると，著しく受信性能が低下する。そのため，撮像装置の通常使用時に、周りに遮蔽物がない状態で上側に受信部が向いていることが望ましい。
【０００４】
一方，撮像装置の小型化は年々，進んでいる。小型化した撮像装置においては，配置できるスペースが限られる。さらに，撮像装置を使用者が把持した状態では，GPS受信部の周辺を人の手が握りこんでしまうことが考えられる。 GPS受信部は，人体が近接すると，人体からのノイズの影響によって，受信精度が低下する。そのため，小型の撮像装置において，受信部を人の手に覆われたような状態では，人体からのノイズで，受信精度が低下し，位置情報を取得できないこともある。
【０００５】
GPSを撮像装置の上部に配置する提案としては、撮像装置のショルダーベルトの肩当にGPS受信部を配置したものがある（特許文献１）。この方法では，通常使用時に，GPS受信部が天空を向き，人体の影響も受けることは少ない。しかし，この方法では，ショルダーベルトを外すと使えない。フレキシブルなショルダーベルトの肩当まで，電気的接続をとるのが非常に困難である，といった問題があった。
【先行技術文献】
【特許文献】
【０００６】
【特許文献１】特開2001-228527号公報
【発明の概要】
【発明が解決しようとする課題】
【０００７】
本発明では，GPS受信部を内蔵する撮像装置において，撮像装置の通常使用時に、ＧＰＳ測位状態では撮影者が誤ってＧＰＳ受信範囲内に手等の障害物を乗せないようにすることが必要となる。また、測位感度が低下した場合の原因を探り、その原因を撮影者が解決する手助けをすることが必要となる。
【課題を解決するための手段】
【０００８】
上記目的を達成する為、本出願に関わる第１の発明は、GPS測位状態では画像表示部に測位中の表示及び受信範囲を塞がない警告表示を表示することを特徴としている。
【０００９】
本出願に関わる第2の発明は、撮像装置の状態変化を検知できる検知部をもち、GPS測位感度レベルが所定値より低い場合の原因を検知部のデータより推測し、判別した結果により異なる警告表示を表示することを特徴としている。
【００１０】
本出願に関わる第3の発明は、前記状態変化を検知できる検知部が撮像装置の移動距離を検知することを特徴としている。
【００１１】
本出願に関わる第4の発明は、前記状態変化を検知できる検知部が撮像装置の回転を検知することを特徴としている。
【００１２】
本出願に関わる第5の発明は、ＧＰＳ受信部の受信範囲を本体に明示しておくことを特徴としている。
【発明の効果】
【００１３】
以上説明したように、本出願による第1の発明によれば、GPS受信部を内蔵する撮像装置において，撮像装置の通常使用時に、ＧＰＳ測位状態では画像表示部にＧＰＳ受信範囲に手等の障害物を載せないように警告を表示することにより、撮影者の注意を喚起し、ＧＰＳ測位への影響を無くす。
また、本出願による第2〜第4の発明によれば、GPSの感度がある所定値以下に急に低下した場合、建物等の構造物により感度低下したのか、受信部を傾けた為に感度低下したのか、手等で塞いだ為に感度低下したのか等を検知部にて判断し、それぞれにあった警告を出すことにより撮影者に感度低下の原因を知らせ、解決の手段を明示することにより撮影者がＧＰＳ測位条件をよい状態にもっていく手助けをする。
【００１４】
さらに、本出願による第5の発明によれば、ＧＰＳ受信部の受信範囲を本体部に明示しておくことにより、撮影者に覆い隠してはいけない範囲を認識させ、ＧＰＳ測位条件をよい状態にもっていく手助けをする。
【図面の簡単な説明】
【００１５】
【図１】本発明の実施例の一形態をを示す撮像装置の構成を示すブロック図。
【図２】本発明の実施例の一形態を示す撮像装置の後方左側斜視図。
【図３】本発明の実施例の一形態を示す撮像装置のグリップ時後方左側斜視図。
【図４】本発明の実施例の一形態を示すフローチャート
【図５】本発明の実施例の一形態を示す画像表示部警告例１。
【図６】本発明の実施例の一形態を示す画像表示部警告例２。
【図７】本発明の実施例の一形態を示す画像表示部警告例３。
【図８】本発明の実施例の一形態を示す画像表示部警告例４。
【図９】本発明の実施例の一形態を示す画像表示部警告例５。
【図１０】本発明の実施例の一形態を示す画像表示部警告例６。
【図１１】本発明の実施例の一形態を示す撮像装置の後方左側斜視図。
【発明を実施するための形態】
【００１６】
［実施例１］
以下、本発明の第１の実施形態について図面を参照しながら説明する。
【００１７】
図１は、本発明の第１の実施形態における撮像装置の構成を示すブロック図、図２は本発明の第１の実施形態における撮像装置の表示部が開いた状態で、後方（撮影者側）左側から見た外観斜視図である。
【００１８】
撮像装置本体100は、図１に示すように、フォーカス及びズーム等の光学制御系を含む光学レンズ群及び絞りからなるレンズユニット部101、CCDなどの撮像素子を含むメイン撮像部102、カメラ信号処理部103、圧縮伸張処理部104、表示部105、記録再生処理部106、カード制御部107、大容量内部メモリ制御部108、マイクロフォン109、音声信号処理部110、メモリ111、メモリ制御部112、CPU113、操作部114、デジタルI/F115、入出力部116、GPS受信部124，GPS信号処理部125，電源制御部117を備えている。
【００１９】
また、各機能ブロックはそれぞれデータバス118を介して互いにデータ通信可能に接続されている。
【００２０】
このような撮像装置本体100において、メモリ111は、プログラム記憶領域とデータ作業領域を有し、データバス118を介して各機能ブロックでタイム・シェアリングして使用され、メモリ制御部112により制御及び管理されている。
【００２１】
CPU113は所定のプログラムを実行すること等により、撮像装置本体100全体を統括制御する中央演算処理回路である。
【００２２】
操作部114はユーザーからのキー操作などに基づいて、CPU113に対して動作指示する機能を有する。
【００２３】
そのうち、114aはレンズの画角をワイド側又はテレ側に変化させるズーム操作を行うためのズームツマミである。
【００２４】
114bは電源ダイヤルであり、回転動作することで電源オフ、撮影モード、再生モードを切り替えることが可能である。
【００２５】
114cは動画撮影ボタンであり、押圧動作することで、動画撮影のスタート/ストップを行うことが可能である。
【００２６】
デジタルI/F115は、例えばIEEE1394やUSB等の規格に従い信号を授受する。
【００２７】
メモリーカード119は、SDカードやコンパクトフラッシュ(登録商標)等の脱着式のフラッシュメモリーであり、撮影データ及び音声データが記録される。
【００２８】
電源制御部117は、バッテリ検出回路、DC-DCコンバータ、通電するブロックを切り替えるスイッチ回路等により構成されており、電池の装着の有無、電池の種類、電池残量の検出を行う。バッテリ123は、リチウムイオン電池等であり、撮像装置本体100に電源を供給する。
【００２９】
GPS受信部124は，GPS衛星から位置と時間のデータを取得する。このデータは、GPS信号処理部125にて処理され、GPS受信部124の位置やその位置における時刻を算出する。この撮像装置では，算出した位置情報や時刻情報を画像データとともに大容量内部メモリ120またはメモリーカード119に書き込む。再生時には，この位置情報や時刻情報を参照することができ，データや記憶の整理に利用できる。
【００３０】
次に、本発明の第１の実施形態における撮像装置の撮影動作及び記録動作、再生動作について説明する。
【００３１】
例えば、操作部114により撮影動作及び記録動作が指示された場合、被写体からの光は、レンズ101により所定の明るさ、画角、及びフォーカス等が制御された光学信号となって撮像部102に対して入力される。撮像部102は入力光学信号を電気信号に変換し、カメラ信号処理部103に出力する。カメラ信号処理部103はこの電気信号をデジタル画像信号に変換する。そして、この画像信号に対して、色分離、階調補正、及びホワイトバランス調整などの信号処理を施した後出力する。音声信号処理部110は、マイクロフォン109より入力された音声信号を所定レベルにゲインコントロールしてデジタル化することで、音声データとして出力する。
【００３２】
圧縮伸張処理部104は、カメラ信号処理部103から出力された画像データ及び音声信号処理部110から出力された音声データを所定の圧縮符号化方式により圧縮符号化する。表示部105は、図２及び図3に示す液晶表示部105aとEVF105bにより構成され、圧縮伸張処理部104で圧縮符号化対象の撮影データを表示する。また、表示部105は、必要に応じて撮像装置本体100の動作状況をオンスクリーン・ディスプレイ情報として表示する。
【００３３】
記録再生処理部106は、圧縮伸張処理部104で得られた圧縮符号化後のデータに対して、エラー訂正符号化処理や変調処理等を施し、更に同期、ID，GPS受信部124及びGPS信号処理部125から算出した位置情報や時刻情報などのデータを付加して記録に適した形態に変換した後、大容量内部メモリ120あるいはメモリーカード119等の記録媒体に記録する。この際、大容量内部メモリ制御部108は大容量内部メモリ120の記録制御を、カード制御部107はメモリーカード119の記録制御をおこなう。
【００３４】
一方、操作部114により再生動作が指示された場合、記録再生処理部106は、大容量内部メモリ120またはメモリーカード119から読み出したデータから元のデジタルデータを検出し、エラー訂正及び復調等の処理を施す。また、PLL回路によりこの再生データに同期したクロックを生成する。
【００３５】
圧縮伸張処理部104は、記録再生処理部106より出力されたデータに対して、所定の圧縮符号化方式に対応した伸張処理を施し、圧縮符号化前の撮影データ及び音声データを取得する。表示部105は、圧縮伸張処理部104で得られた再生データを表示する。
【００３６】
また操作部114によりデジタルI/F115からの入力データを記録する指示があった場合、CPU113はデジタルI/F115により、外部装置121からの画像データあるいは音声データをデジタル信号の状態で入力し、記録再生処理部106に送る。この際、外部装置121からの画像データ、音声データは既に符号化されているものとし、記録再生処理部106は前述のようにこの入力データに対して記録に必要な処理を施して大容量内部メモリ120やメモリーカード119などの記録媒体に記録する。
【００３７】
また操作部114により、入出力部116からの入力信号を記録する指示があった場合、CPU113は入出力部116を制御し、外部装置122から出力された画像、音声信号を入力する。入出力部116は外部装置122から出力された画像、音声信号をデジタルデータに変換してメモリ111に出力する。CPU113はこのメモリ111に記憶された画像、音声データを圧縮伸張処理部104に出力して圧縮符号化し、記録再生処理部106に送る。記録再生処理部106は前述の様にこの符号化されたデータに対して記録に必要な処理を施して大容量内部メモリ120やメモリーカード119などの記録媒体に記録する。
【００３８】
GPS受信部124及びGPS信号処理部125の配置を図3に示す。図3は撮像装置の表示部が開いた状態で，撮影者が右手にてグリップしている状態で後方（撮影者側）左側から見た外観斜視図である。
【００３９】
通常撮影時、撮影者は図3のようにグリップしている。図3では内部構造物及び撮影者の手のグリップ範囲1001によってGPSの受信範囲1002を妨げた状態となっており、この場合GPSの受信感度は低下する。グリップ状態すなわち撮影状態にてGPSの受信感度を低下させない為には、受信状態で撮影者の手のグリップ範囲1001によってGPSの受信範囲1002を妨げないよう撮影者に注意を喚起する必要がある。また、撮影中室内に入ったり、撮像装置をひっくり返したりして急にGPS受信感度が低下した場合にも、GPSの感度を確保する為その状態を感知し、撮影者にその状態にあった注意を喚起する必要がある。
【００４０】
本実施例でのフローチャートを図4に示す。
【００４１】
GPS測位がスタートすると、タイマーT1リセット（S1）が行われ、GPS測位(S2)を行う。その際、図5に示すような警告表示１（S3）を画像表示部105に表示する。
【００４２】
その後、測位が完了したかどうかを確認（S4）し、測位が完了していなかった場合には、所定のタイマー時間より現在のT1が大きいかどうかを判別（S20）する。所定時間よりもT1が小さい場合、再度GPS測位（S2）に戻り測位を行う。タイマー所定値よりT1が大きい場合、測位時間オーバーと判断し、図6のように画像表示部に再測位をするかどうかを撮影者に判断させる表示を出す（S21）（S22）。
【００４３】
上記表示状態にて再測位の指示があった場合、再度タイマーT1をリセット（S1）してGPS測位を開始する。再測位の指示が無かった場合、GPS測位を終了する。
【００４４】
測位が完了した場合（S4）、図7のように測位完了表示（S5）を行い、タイマカウントを行い、タイマが所定時間T2になるまで測位を行わない（S6）。
【００４５】
タイマカウントが所定時間T2を超えると、タイマカウントをリセットした上で(S7)、GPSの再測位（S8）を行う。撮影者が移動したりする場合を考え、ある一定時間ごとにGPSを即位させる必要があるため、上記のような動作を行う必要がある。
【００４６】
再測位（S8）した際、受信感度がある閾値A1以下になっているかどうか（S9）を判断する。閾値以上であり十分受信している場合は再度タイマーカウントを開始し（S6）再測位に戻る。
【００４７】
受信感度がある閾値A1以下の場合、前回測位からの移動距離がある閾値L1以上かどうかを判定する（S10）。L1以上の場合、移動して建物内等のGPS測位がしにくい場所に行ったと判断し、それにあわせた警告表示（S30）を図8のように画像表示部105に表示し、再度タイマーT1をリセット（S1）してGPS測位を行う。
【００４８】
移動距離が閾値L1以下の場合、撮像装置の回転検知がある閾値R1以上かどうかを判断（S11）する。R1以上の場合、本体が回転状態で受信しにくい状態であると判断し、それにあわせた警告表示（S31）を図9のように画像表示部105に表示し、再度タイマーT1をリセット（S1）してGPS測位を行う。
【００４９】
回転検知がR1以下の場合、撮影者もしくは他の機器が受信部を覆っていると判断し、それにあわせた警告表紙（S32）を図10のように画像表示部105に表示し、再度タイマーT1をリセット（S1）してGPS測位を行う。
【００５０】
また、GPS受信範囲が明確でない場合、グリップ時等どの部分を覆ってはいけないかを撮影者に認識させるのが困難である為、図11のように印刷や塗装等で受信範囲1002を明示してやることによっても撮影者に注意を喚起することができる。
【００５１】
以上図及び本文にて説明したように、本発明によれば、GPS受信部を内蔵する撮像装置において，撮像装置の通常使用時に、ＧＰＳ測位状態では画像表示部にＧＰＳ受信範囲に手等の障害物を載せないように警告を表示することにより、撮影者の注意を喚起し、ＧＰＳ測位への影響を無くす。
また、感度が急に低下した場合、建物等の構造物により感度低下したのか、受信部を傾けた為に感度低下したのか、手等で塞いだ為に感度低下したのか等を判断し、それぞれにあった警告を出すことにより撮影者に感度低下の原因を知らせ、解決の手段を明示することにより撮影者がＧＰＳ測位条件をよい状態にもっていく手助けをする。
【００５２】
以上本発明を図示の実施の形態にて説明したが、本願発明は上記実施の形態によって限定されることなく、本願発明の技術的思想の範囲内において各種の変更が可能である。
【符号の説明】
【００５３】
１００‥‥撮像装置本体
１０１‥‥レンズユニット部
１０２‥‥メイン撮像部
１０３‥‥カメラ信号処理部
１０４‥‥圧縮伸張処理部
１０５‥‥表示部
１０６‥‥記録再生処理部
１０７‥‥カード制御部
１０８‥‥大容量内部メモリ制御部
１０９‥‥マイクロフォン
１１０‥‥音声信号処理部
１１１‥‥メモリ
１１２‥‥メモリ制御部
１１３‥‥CPU
１１４‥‥操作部
１１４a‥‥ズームツマミ
１１４b‥‥電源ダイヤル
１１４c‥‥動画撮影ボタン
１１５‥‥デジタルI/F
１１６‥‥入出力部
１１７‥‥電源制御部
１１８‥‥BUS部
１１９‥‥メモリーカード
１２０‥‥大容量内部メモリ
１２１‥‥外部装置
１２２‥‥外部装置
１２３‥‥バッテリ
１２４‥‥ＧＰＳ受信部
１２５‥‥ＧＰＳ信号処理部
１３０‥‥メイン基板
１００１‥‥殺意映写グリップ範囲
１００２‥‥ＧＰＳ受信範囲
【図１】
2012114874.tif 000003
【図２】
2012114874.tif 000004
【図３】
2012114874.tif 000005
【図４】
2012114874.tif 000006
【図５】
2012114874.tif 000007
【図６】
2012114874.tif 000008
【図７】
2012114874.tif 000009
【図８】
2012114874.tif 000010
【図９】
2012114874.tif 000011
【図１０】
2012114874.tif 000012
【図１１】
2012114874.tif 000013